【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行ない、複数種類の識別情報を可変表示する可変表示装置を備え、該可変表示装置の表示結果が予め定められた特定の表示態様となった場合に遊技者にとって有利な遊技状態に制御可能となる遊技機であって、
遊技状態を制御する遊技制御基板と、
前記遊技制御基板から出力される払出信号に基づいて、遊技媒体を払い出す払出手段の制御を行なう払出制御基板と、
前記遊技制御基板から出力される表示信号に基づいて、前記可変表示装置の表示結果を導出表示させる制御を行なう表示制御基板とを備え、
前記遊技制御基板は、前記払出信号として入賞の発生に基づいて払い出す遊技媒体数を特定するための払出個数信号を前記払出制御基板に出力し、前記払出信号として払出禁止条件が成立しているときに前記遊技媒体の払い出しを禁止させるための払出禁止信号を前記払出制御基板に出力し、
前記払出制御基板は、前記払出個数信号に基づいて前記払出手段により前記遊技媒体を払い出す払出制御を行ない、前記払出禁止信号に基づいて前記払出制御を不能動化する制御を行ない、
前記遊技制御基板は、さらに、
前記表示信号として前記識別情報を可変開始させるときに、前記識別情報を可変開始させてから表示結果を確定表示させるまでの可変表示時間を特定するための可変表示時間信号と前記識別情報の表示結果を特定するための表示結果信号とを出力し、
前記表示信号として前記識別情報を可変開始させてから前記可変表示時間信号により特定される可変表示時間が経過するときに、前記識別情報の表示結果を確定表示させる時期を特定するための確定時期信号を出力し、
前記表示信号の出力に伴わせて、所定時間に亘ってレベルを変化させて当該表示信号の取り込みを指示する取込信号を出力し、前記所定時間が経過して前記取込信号の出力を終了した後でも前記表示信号の出力を維持し、
前記表示制御基板は、前記可変表示時間信号に基づいて前記識別情報を可変開始させた後、前記表示結果信号から特定される前記識別情報の表示結果を導出させ、前記確定時期信号に基づいて前記識別情報の表示結果を確定表示させるための制御を行なうことを特徴とする、遊技機。
【請求項２】
前記払出制御基板は、エラー発生後でも、前記払出個数信号を受信して記憶し、リセット操作を受け付けたときに該記憶に基づいて前記払出制御を行なうことを特徴とする、請求項１に記載の遊技機。
【手続補正２】
【補正対象書類名】明細書
【補正対象項目名】０００１
【補正方法】変更
【補正の内容】
【０００１】
本発明は、たとえばパチンコ遊技機やコイン遊技機などで代表される遊技機に関し、詳しくは、遊技媒体を用いて遊技を行ない、複数種類の識別情報を可変表示する可変表示装置を備え、該可変表示装置の表示結果が予め定められた特定の表示態様となった場合に遊技者にとって有利な遊技状態に制御可能となる遊技機に関する。
【手続補正３】
【補正対象書類名】明細書
【補正対象項目名】０００８
【補正方法】変更
【補正の内容】
【０００８】
請求項１に記載の本発明は、遊技媒体を用いて遊技を行ない、複数種類の識別情報を可変表示する可変表示装置を備え、該可変表示装置の表示結果が予め定められた特定の表示態様となった場合に遊技者にとって有利な遊技状態に制御可能となる遊技機であって、
遊技状態を制御する遊技制御基板と、
前記遊技制御基板から出力される払出信号に基づいて、遊技媒体を払い出す払出手段の制御を行なう払出制御基板と、
前記遊技制御基板から出力される表示信号に基づいて、前記可変表示装置の表示結果を導出表示させる制御を行なう表示制御基板とを備え、
前記遊技制御基板は、前記払出信号として入賞の発生に基づいて払い出す遊技媒体数を特定するための払出個数信号を前記払出制御基板に出力し、前記払出信号として払出禁止条件が成立しているときに前記遊技媒体の払い出しを禁止させるための払出禁止信号を前記払出制御基板に出力し、
前記払出制御基板は、前記払出個数信号に基づいて前記払出手段により前記遊技媒体を払い出す払出制御を行ない、前記払出禁止信号に基づいて前記払出制御を不能動化する制御を行ない、
前記遊技制御基板は、さらに、
前記表示信号として前記識別情報を可変開始させるときに、前記識別情報を可変開始させてから表示結果を確定表示させるまでの可変表示時間を特定するための可変表示時間信号と前記識別情報の表示結果を特定するための表示結果信号とを出力し、
前記表示信号として前記識別情報を可変開始させてから前記可変表示時間信号により特定される可変表示時間が経過するときに、前記識別情報の表示結果を確定表示させる時期を特定するための確定時期信号を出力し、
前記表示信号の出力に伴わせて、所定時間に亘ってレベルを変化させて当該表示信号の取り込みを指示する取込信号を出力し、前記所定時間が経過して前記取込信号の出力を終了した後でも前記表示信号の出力を維持し、
前記表示制御基板は、前記可変表示時間信号に基づいて前記識別情報を可変開始させた後、前記表示結果信号から特定される前記識別情報の表示結果を導出させ、前記確定時期信号に基づいて前記識別情報の表示結果を確定表示させるための制御を行なうことを特徴とする。
【手続補正４】
【補正対象書類名】明細書
【補正対象項目名】０００９
【補正方法】変更
【補正の内容】
【０００９】
請求項２に記載の本発明は、請求項１に記載の発明の構成に加えて、前記払出制御基板は、エラー発生後でも、前記払出個数信号を受信して記憶し、リセット操作を受け付けたときに該記憶に基づいて前記払出制御を行なうことを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】変更
【補正の内容】
【００１９】
[作用]
請求項１に記載の本発明によれば、遊技制御基板の働きにより、遊技状態が制御される。払出制御基板の働きにより、前記遊技制御基板から出力される払出信号に基づいて、遊技媒体を払い出す払出手段の制御が行なわれる。表示制御基板の働きにより、前記遊技制御基板から出力される表示信号に基づいて、前記可変表示装置の表示結果を導出表示させる制御が行なわれる。前記遊技制御基板の働きにより、前記払出信号として入賞の発生に基づいて払い出す遊技媒体数を特定するための払出個数信号が前記払出制御基板に出力され、前記払出信号として払出禁止条件が成立しているときに前記遊技媒体の払い出しを禁止させるための払出禁止信号が前記払出制御基板に出力される。前記払出制御基板の働きにより、前記払出個数信号に基づいて前記払出手段により前記遊技媒体を払い出す払出制御が行なわれ、前記払出禁止信号に基づいて前記払出制御を不能動化する制御が行なわれる。前記遊技制御基板の働きにより、さらに、前記表示信号として前記識別情報を可変開始させるときに、前記識別情報を可変開始させてから表示結果を確定表示させるまでの可変表示時間を特定するための可変表示時間信号と前記識別情報の表示結果を特定するための表示結果信号とが出力され、前記表示信号として前記識別情報を可変開始させてから前記可変表示時間信号により特定される可変表示時間が経過するときに、前記識別情報の表示結果を確定表示させる時期を特定するための確定時期信号が出力される。前記遊技制御基板の働きにより、さらに、前記表示信号の出力に伴わせて、所定時間に亘ってレベルを変化させて当該表示信号の取り込みを指示する取込信号が出力され、前記所定時間が経過して前記取込信号の出力を終了した後でも前記表示信号の出力が維持される。前記表示制御基板の働きにより、前記可変表示時間信号に基づいて前記識別情報を可変開始させた後、前記表示結果信号から特定される前記識別情報の表示結果を導出させ、前記確定時期信号に基づいて前記識別情報の表示結果を確定表示させるための制御が行なわれる。
【手続補正１５】
【補正対象書類名】明細書
【補正対象項目名】００２０
【補正方法】変更
【補正の内容】
【００２０】
請求項２に記載の本発明によれば、請求項１に記載の発明の作用に加えて、前記払出制御基板の働きにより、エラー発生後でも、前記払出個数信号を受信して記憶し、リセット操作を受け付けたときに該記憶に基づいて前記払出制御が行なわれる。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】変更
【補正の内容】
【００３０】
以下に、本発明の実施の形態を図面に基づいて詳細に説明する。なお、以下の実施の形態においては、遊技機の一例としてパチンコ遊技機を示すが、本発明はこれに限らず、たとえばコイン遊技機などであってもよく、遊技媒体を用いて遊技を行ない、複数種類の識別情報を可変表示する可変表示装置を備え、該可変表示装置の表示結果が予め定められた特定の表示態様となった場合に遊技者にとって有利な遊技状態に制御可能となる遊技機であれば、すべてに適用することが可能である。
【手続補正２６】
【補正対象書類名】明細書
【補正対象項目名】０３４２
【補正方法】変更
【補正の内容】
【０３４２】
（１）  パチンコ遊技機１により、遊技媒体を用いて遊技を行ない、複数種類の識別情報を可変表示する可変表示装置を備え、該可変表示装置の表示結果が予め定められた特定の表示態様となった場合に遊技者にとって有利な遊技状態に制御可能となる遊技機が構成されている。大当り図柄のぞろめ（たとえば、７７７）により、前記特定の表示態様が構成されている。大当り状態（特定遊技状態）により、前記遊技者にとって有利な遊技状態が構成されている。
【手続補正２７】
【補正対象書類名】明細書
【補正対象項目名】０３４３
【補正方法】変更
【補正の内容】
【０３４３】
遊技制御基板３１により、遊技状態を制御する遊技制御基板が構成されている。賞球制御基板３７により、遊技制御基板から出力される払出信号に基づいて、遊技媒体を払い出す払出手段の制御を行なう払出制御基板が構成されている。表示制御基板８０により、前記遊技制御基板から出力される表示信号に基づいて、前記可変表示装置の表示結果を導出表示させる制御を行なう表示制御基板が構成されている。
【手続補正２８】
【補正対象書類名】明細書
【補正対象項目名】０３４４
【補正方法】変更
【補正の内容】
【０３４４】
図３１のＳ１７により、前記遊技制御基板が、前記払出信号として入賞の発生に基づいて払い出す遊技媒体数を特定するための払出個数信号を前記払出制御基板に出力し、前記払出信号として払出禁止条件が成立しているときに前記遊技媒体の払い出しを禁止させるための払出禁止信号を前記払出制御基板に出力することが開示されている。賞球個数コマンドにより、払出個数信号が構成されており、玉貸し禁止を指示する賞球制御コマンドにより、払出禁止信号が構成されている。
図４９（ａ）の賞球制御メイン処理により、前記払出制御基板が、前記払出個数信号に基づいて前記払出手段により前記遊技媒体を払い出す払出制御を行ない、前記払出禁止信号に基づいて前記払出制御を不能動化する制御を行なうことが開示されている。
図２３、図３６のＳＣ７およびＳＣ８、図４４により、前記遊技制御基板が、さらに、前記表示信号として前記識別情報を可変開始させるときに、前記識別情報を可変開始させてから表示結果を確定表示させるまでの可変表示時間を特定するための可変表示時間信号と前記識別情報の表示結果を特定するための表示結果信号とを出力し、前記表示信号として前記識別情報を可変開始させてから前記可変表示時間信号により特定される可変表示時間が経過するときに、前記識別情報の表示結果を確定表示させる時期を特定するための確定時期信号を出力することが開示されている。変動開始コマンドにより、可変表示時間信号が構成されている。確定図柄指定コマンドにより、表示結果信号が構成されている。変動停止コマンドにより、確定時期信号が構成されている。
図４１〜図４３により、前記遊技制御基板が、さらに、前記表示信号の出力に伴わせて、所定時間に亘ってレベルを変化させて当該表示信号の取り込みを指示する取込信号を出力し、前記所定時間が経過して前記取込信号の出力を終了した後でも前記表示信号の出力を維持することが開示されている。ＩＮＴ信号により、取込信号が構成されている。
図４６（ａ）の表示制御基板におけるメイン処理により、前記表示制御基板が、前記可変表示時間信号に基づいて前記識別情報を可変開始させた後、前記表示結果信号から特定される前記識別情報の表示結果を導出させ、前記確定時期信号に基づいて前記識別情報の表示結果を確定表示させるための制御を行なうことが開示されている。
【手続補正２９】
【補正対象書類名】明細書
【補正対象項目名】０３４５
【補正方法】削除
【補正の内容】
【手続補正３０】
【補正対象書類名】明細書
【補正対象項目名】０３４６
【補正方法】削除
【補正の内容】
【手続補正３１】
【補正対象書類名】明細書
【補正対象項目名】０３４７
【補正方法】削除
【補正の内容】
【手続補正３２】
【補正対象書類名】明細書
【補正対象項目名】０３４８
【補正方法】変更
【補正の内容】
【０３４８】
（２）  賞球制御用ＣＰＵ３７１がエラー発生後でも賞球制御コマンドを受信して記憶するように構成されていれば、リセットスイッチ３７９の押圧に基づいて、記憶している受信コマンドに基づく賞球制御を行なうことによって、前記払出制御基板が、エラー発生後でも、前記払出個数信号を受信して記憶し、リセット操作を受け付けたときに該記憶に基づいて前記払出制御を行なうことが開示されている。
【手続補正３３】
【補正対象書類名】明細書
【補正対象項目名】０３４９
【補正方法】削除
【補正の内容】
【手続補正３４】
【補正対象書類名】明細書
【補正対象項目名】０３５０
【補正方法】削除
【補正の内容】
【手続補正３５】
【補正対象書類名】明細書
【補正対象項目名】０３５１
【補正方法】削除
【補正の内容】
【手続補正３６】
【補正対象書類名】明細書
【補正対象項目名】０３５２
【補正方法】削除
【補正の内容】
【手続補正３７】
【補正対象書類名】明細書
【補正対象項目名】０３５３
【補正方法】削除
【補正の内容】
【手続補正３８】
【補正対象書類名】明細書
【補正対象項目名】０３５４
【補正方法】削除
【補正の内容】
【手続補正３９】
【補正対象書類名】明細書
【補正対象項目名】０３５５
【補正方法】削除
【補正の内容】
【手続補正４０】
【補正対象書類名】明細書
【補正対象項目名】０３５６
【補正方法】削除
【補正の内容】
【手続補正４１】
【補正対象書類名】明細書
【補正対象項目名】０３５７
【補正方法】削除
【補正の内容】
【手続補正４２】
【補正対象書類名】明細書
【補正対象項目名】０３５８
【補正方法】変更
【補正の内容】
【０３５８】
請求項１に関しては、遊技制御基板が識別情報を可変開始させるときに可変表示時間信号と表示結果信号とを出力することで、表示制御基板により識別情報を可変開始させた後に表示結果を導出させることができ、遊技制御基板が可変表示時間経過するときに確定時期信号を出力することで、表示制御基板により識別情報の表示結果を確定表示させるための制御が行なわれる。このため、表示信号を出力する遊技制御基板の制御負担を軽減可能となる。
【手続補正４３】
【補正対象書類名】明細書
【補正対象項目名】０３５９
【補正方法】変更
【補正の内容】
【０３５９】
請求項２に関しては、請求項１に関する効果に加えて、エラー発生後でもリセット操作を受け付けたときの記憶に基づいて払出制御が行なわれるため、遊技者に与えられる不利益をなくすことができる。
【手続補正４４】
【補正対象書類名】明細書
【補正対象項目名】０３６０
【補正方法】削除
【補正の内容】
【手続補正４５】
【補正対象書類名】明細書
【補正対象項目名】０３６１
【補正方法】削除
【補正の内容】
【手続補正４６】
【補正対象書類名】明細書
【補正対象項目名】０３６２
【補正方法】削除
【補正の内容】
【手続補正４７】
【補正対象書類名】明細書
【補正対象項目名】０３６３
【補正方法】削除
【補正の内容】
【手続補正４８】
【補正対象書類名】明細書
【補正対象項目名】０３６４
【補正方法】削除
【補正の内容】
【手続補正４９】
【補正対象書類名】明細書
【補正対象項目名】０３６５
【補正方法】削除
【補正の内容】
【手続補正５０】
【補正対象書類名】明細書
【補正対象項目名】０３６６
【補正方法】削除
【補正の内容】
【手続補正５１】
【補正対象書類名】明細書
【補正対象項目名】０３６７
【補正方法】削除
【補正の内容】
【手続補正５２】
【補正対象書類名】明細書
【補正対象項目名】０３６８
【補正方法】削除
【補正の内容】